(57)【要約】【課題】かしめ部を設けた場合でも擦れ音やバリによる音の発生を極力抑えることができるようにする。【解決手段】スラット構造体を連設する場合には、第１カール部に第２カール部を挿入係合しただけでは、抜け出しや横流れが発生するので、第１カール部の両端側の一部にかしめ部を形成し、このかしめ部をかしめることによって、抜け出しや横流れを防止する。かしめ部の存在しない第２カール部の両側には、かしめ部に干渉しないように切り取られた切欠き部が存在する。切欠き部の側端部の少なくとも一部をかしめ部の切込み部の側端部面に対して傾斜するように形成することによって、側端部同士の互いに擦れ合う割合が減少し、擦れ音やバリによる音などの発生量を減少させることが可能となる。【選択図】図４
2007162282.tif 000002
【特許請求の範囲】
【請求項１】
移動方向側の両端部に形成された第１及び第２カール部が互いに挿入係合されることによって開口部閉鎖用の開閉体手段を構成するスラット構造体において、
前記第１カール部には前記移動方向に沿った方向に形成された切込み部を有し、
前記切込み部より外側の前記第１カール部は、かしめられることによって前記第２カール部の抜け出しを防止するかしめ部として機能し、
前記第２カール部には、前記かしめ部に干渉しないように切り取られた切欠き部を有し、
前記かしめ部に対向する前記第２カール部の前記切欠き部の側端部の少なくとも一部が前記かしめ部の前記切込み部の側端部面に対して傾斜するように形成されていることを特徴とするスラット構造体。
【請求項２】
請求項１に記載のスラット構造体において、前記第２カール部の前記切欠き部の側端部が頂点部を有する三角形状または曲線形状となるように形成され、前記頂点部が前記かしめ部の中心付近に対向することを特徴とするスラット構造体。
【請求項３】
請求項１又は２に記載のスラット構造体を多数挿入係合することによって構成された開閉体手段を用いて開口部を閉鎖することを特徴とする開閉体装置。
【発明の詳細な説明】
【技術分野】
【０００１】
本発明は、多数のスラットを連結して構成された開閉体を用いて建物、車両又は船舶内部の通路やホール空間及び建物、車両又は船舶外部に面する開口部などを閉鎖するように構成されたスラット構造体及び開閉体装置に係り、特にスラットの連結部に改良を加えたスラット構造体及び開閉体装置に関する。
【背景技術】
【０００２】
一般に、開閉体装置に用いられるシャッターカーテンなどの開閉体は、多数のスラットを上下方向（閉鎖方向や移動方向）に多数連結することによって形成されている。図１は、従来のシャッターカーテンの概略構成を示す図であり、シャッターカーテンを構成するスラットのそれぞれの連結部を示している。図２は、図１のＡ−Ａ点線における一部断面構造を示す図である。図３は、図１のスラットとスラットの連設部の拡大図と、その側面図を示す図であり、図３（Ａ）は、スラット面が直線状になった状態を示す拡大図とその側面図であり、図３（Ｂ）は、スラット面が屈曲した状態を示す拡大図とその側面図である。
【０００３】
図１では、４枚のスラット１０〜１３がそれぞれの連設された様子を示している。図１に示すように、各スラット１０〜１３は、上端部に形成された第１カール部１１１，１２１，１３１と下端部に形成された第２カール部１０２，１１２，１２２を有する。スラット１０の第２カール部１０２にスラット１１の第１カール部１１１が挿入係合されることによって、スラット１０とスラット１１は上下に連設される。同様にして、スラット１０〜１３が図示のように連設されている。
【０００４】
各スラット１０〜１３の第２カール部１０２，１１２，１２２の左右両端部には、切欠き部１０３，１１３，１２３を有するので、その全長がスラット１０〜１３よりも若干短めになっている。図１では、左側の切欠き部１０３，１１３，１２３のみが図示されている。各スラット１０〜１３の第１カール部１１１，１２１，１３１の左右両端部には、Ｕの字状の切込み部１１４，１２４，１３４が設けられており、第１カール部１１１，１２１，１３１はそれぞれ切欠き部１０３，１１３，１２３の長さに対応したかしめ部１１５，１２５，１３５と、第２カール部１０２，１１２，１２２の長さに対応した第１カール部１１１，１２１，１３１とにそれぞれ３分割されている。図では、かしめ部１１５，１２５，１３５がかしめ治具によってかしめられた状態が示されている。図に示すように、かしめ部１１５，１２５，１３５がかしめられることによって、第２カール部１０２，１１２，１２２から第１カール部１１１，１２１，１３１が抜け出す（横流れする）のを阻止している。このようにスラットの対応するカール部のいずれか一方にかしめ部を設け、それをかしめることによって、カール部の抜け出しや横流れを防止するようにしたものとしては、例えば、特許文献１に記載されるようなものがある。
【特許文献１】特開平１０−１４８０７２号公報
【発明の開示】
【発明が解決しようとする課題】
【０００５】
上述に示すように、従来の開閉体装置では、スラットのカール部の抜け出しや横流れを防止するためにかしめ部を設けているが、対向するカール部の端部同士が擦れることによって、音なりが発生する可能性があった。すなわち、図３に示すように連設されたスラット１１とスラット１２のスラット面が直線状から屈曲状態になったり、屈曲状態から直線状に変化することによって、連設されたスラット１２のかしめ部１２５の右側端部と、第２カール部１１２の左側端部とがそれぞれ擦れ、それによって擦れ音が発生したり、切断加工時にその部分に形成されたバリ等が引っかかったりしてバリによる音などが発生していた。
【０００６】
本発明の目的は、かしめ部を設けた場合でも擦れ音やバリによる音の発生を極力抑えることのできるスラット構造体及び開閉体装置を提供することにある。
【課題を解決するための手段】
【０００７】
本発明のスラット構造体の第１の特徴は、移動方向側の両端部に形成された第１及び第２カール部が互いに挿入係合されることによって開口部閉鎖用の開閉体手段を構成するスラット構造体において、前記第１カール部には前記移動方向に沿った方向に形成された切込み部を有し、前記切込み部より外側の前記第１カール部は、かしめられることによって前記第２カール部の抜け出しを防止するかしめ部として機能し、前記第２カール部には、前記かしめ部に干渉しないように切り取られた切欠き部を有し、前記かしめ部に対向する前記第２カール部の前記切欠き部の側端部の少なくとも一部が前記かしめ部の前記切込み部の側端部面に対して傾斜するように形成されていることにある。
ビル、住宅、工場、倉庫等の建物などの構造物における、出入口や窓部、あるいは内部の通路や空間などの開口部などを開閉移動するシャッターカーテンなどの開閉体手段は、細長い長尺状の金属製のスラット構造体が移動方向に沿って多数連設されることによって構成されている。このスラット構造体の移動方向側の一端には第１カール部が、その反対側には第２カール部がそれぞれ形成されている。このようなスラット構造体を連設する場合には、第１カール部に第２カール部を挿入係合したり、逆に、第２カール部に第１カール部を挿入係合している。ただし、挿入係合しただけでは、抜け出しや横流れが発生するので、第１カール部の一部にかしめ部を形成し、このかしめ部をかしめることによって、抜け出しや横流れを防止している。このかしめ部は、第１カール部の両側であって移動方向に沿った方向に形成された切込み部の外側に位置する第１カール部を利用しているので、かしめられることによって、側面から見たカール部の形状がほぼ円形状のままかしめられることになる。一方、かしめ部の存在しない第２カール部の両側には、かしめ部に干渉しないように切り取られた切欠き部が存在する。この切欠き部の側端部とかしめ部の切込み部の側端部とが互いに擦れ合うことによって、擦れ音やバリによる音などが発生する。そこで、この発明では、切欠き部の側端部の少なくとも一部をかしめ部の切込み部の側端部面に対して傾斜するように形成することによって、側端部同士の互いに擦れ合う割合が減少し、擦れ音やバリによる音などの発生量を減少させることが可能となる。なお、スラット構造の移動方向側の両端部の内、どちらが第１カール部であってもよい。
【０００８】
本発明のスラット構造体の第２の特徴は、前記第１の特徴に記載のスラット構造体において、前記第２カール部の前記切欠き部の側端部が三角形状の頂点部となるように形成され、前記頂点部が前記かしめ部の中心付近に対向することにある。
これは、切欠き部の側端部を三角形状とし、その頂点部をかしめ部を側面から見た場合の円形状の中心付近に対向させるようにしたものである。これによって、三角形状の頂点部がかしめ部の中心付近を軸としてスムースに回転するようになるので、擦れ音やバリによる音などの発生量を効果的に減少させることが可能となる。
【０００９】
本発明の開閉体装置の第１の特徴は、前記第１の特徴又は第２の特徴に記載のスラット構造体を多数挿入係合することによって構成された開閉体手段を用いて開口部を閉鎖することにある。
これは、擦れ音やバリによる音などの発生しにくいスラットカーテンを用いて構成された開閉体装置に関するものであり、これによって、開閉体装置全体の動作音を低く抑えることが可能となる。
この発明において、開口部を閉鎖するとは、開口部の全体を閉鎖すること及び開口部の一部を閉鎖することの両方を含むものである。また、第１の特徴又は第２の特徴に記載のスラット構造体は、開閉体全域に亘って設けられていてもよく、部分的に設けられていてもよいものである。
【発明の効果】
【００１０】
本発明によれば、かしめ部を設けた場合でも擦れ音やバリによる音の発生を極力抑えることができるという効果がある。
【発明を実施するための最良の形態】
【００１１】
以下、添付図面に従って本発明に係るスラット構造体及び開閉体装置の一例について説明する。図４は、本発明に係る開閉体装置に使用されるシャッターカーテンを構成するスラットのそれぞれの連結部の構成を示す図である。図５は、図４のスラット構造体を右側から見た側面図である。
【００１２】
図では、３枚のスラット４０〜４２が連設された様子を示している。図に示すように、各スラット４０〜４２は、上端部に形成された第２カール部４０２，４１２，４２２と下端部に形成された第１カール部４０１，４１１，４２１を有する。スラット４０の第１カール部４０１にスラット４１の第２カール部４１２が挿入係合されることによって、スラット４０とスラット４１は上下に連設される。同様にして、スラット４１とスラット４２が図示のように連設されている。図４では、スラット４２が紙面の前側に回転した状態を示し、図５では、スラット４２が紙面の左側に回転した状態を示している。
【００１３】
各スラット４０〜４２の第２カール部４０２，４１２，４２２の左右両端部には、切欠き部４０３，４１３，４２３を有する。従って、第２カール部４０２，４１２，４２２の横幅はスラット４０〜４２の全長よりも若干短めになっている。各スラット４０〜４２の第１カール部４０１，４１１，４２１の左右両端部には、Ｕの字状の切込み部４０４，４１４，４２４が設けられている。第１カール部４０１，４１１，４２１は、切欠き部４０３，４１３，４２３の長さにほぼ同程度のかしめ部４０５，４１５，４２５と、第２カール部４１２，４２２の長さとほぼ同程度の第１カール部４０１，４１１，４２１とにそれぞれ３分割されている。図では、かしめ部４０５，４１５，４２５がかしめ治具によってかしめられた状態が示されている。図に示すように、かしめ部４０５，４１５，４２５がかしめられることによって、第１カール部４０１，４１１，４２１から第２カール部４０２，４１２，４２２が抜け出す（横流れする）のを防止している。
【００１４】
図６は、図４のスラットとスラットの連設部を拡大して示す図である。図６（Ａ）は、本発明を適用したスラット構造体の形状を示し、図６（Ｂ）は本発明を適用しない場合のスラット構造体の形状を示す図である。図６（Ｂ）に示す従来のスラット３１は、第２カール部３１１の右側端部の形状がカール加工されただけで図示のように直方形状をしている。これに対して本発明のスラット４１の第２カール部４１２の右側端部は、図示のように、上側面部と下側面部が切り取られた三角形状をしており、この三角形状の頂点部分がかしめ部４０５の中心に丁度対向するようになっている。
【００１５】
図７及び図８は、図４のスラットとスラットの連設状態を示す斜視図である。図７は、図４のスラット４０とスラット４１のようにスラット面が直線状になった状態を示し、図８は、図４のスラット４１とスラット４２のようにスラット面が屈曲した状態を示す。図７の状態から図８の状態のようにスラットが回転してスラット面が屈曲した場合でも、図６に示すようスラットの第２カール部の両側端部の三角形状の頂点部分がかしめ部の中心を回転中心軸とするようなスムースな回転を行うようになるので、擦れ音やバリによる音などが発生しにくくなり、静かな開閉動作を行うことができるようになる。
【００１６】
図９は、本発明に係るスラット構造体の他の実施例を示す図である。上述の実施例では、スラットの第２カール部の両側端部の上側面部と下側面部を切り取り、三角形状を形成する場合について説明したが、図９（Ａ）では、スラットの第２カール部の両側端部の下側面部のみを切り取ることによって、三角形状を形成し、図９（Ｂ）では、スラットの第２カール部の両側端部の上側面部のみを切り取ることによって、三角形状を形成するようにしてもよい。
上述の実施の形態では、スラットカール部の両側端部を直線状に切り取る場合を示したが曲線状に切り取るようにしてもよい。
【００１７】
本発明においては、第１カール部と第２カール部の位置関係は、スラット構造のそれぞれの移動方向側の両端部で逆になっていてもよい。
また、開閉体において、図６（Ａ）の構成と図６（Ｂ）の構成が混在していてもよいが、好ましくは、図６（Ａ）の構成のみでスラット構造体が連接されていることが好ましい。
開閉体の開放側端部や、閉鎖側端部のスラット構造体など、第２カール部しかカール部を有しないものにも本発明の第２カール部の構成を適用可能である。
本発明による第１カール部のかしめ部、第２カール部の側端部の構造は、必ずしもスラットの両端部に設けなくてもよく、片方の端部のみでもよい。
本発明による第２カール部の側端部の形状は、スラット構造体の両端部で同じでもよく、異なっていてもよい。また、スラット構造物同士で同じでもよく、異なっていてもよい。
スラット構造体により構成される開閉体は、少なくとも開放移動または閉鎖移動すればよい。
開閉方向は、上下方向、横方向、斜め方向、これらの複合した方向など、その向きは問わないものである。
開閉体は、手動、電動、自重、ばねや錘などによる付勢力等、どのような動力で移動してもよい。
開閉体は、スラット構造体とシート、スクリーン、ネット、パイプなどとが複合されて構成されていてもよい。
【図面の簡単な説明】
【００１８】
【図１】従来のシャッターカーテンの概略構成を示す図である。
【図２】図１のＡ−Ａ線における一部断面構造を示す図である。
【図３】図１のスラットとスラットの連設部を拡大して示す図である。
【図４】本発明に係る開閉体装置に使用されるシャッターカーテンを構成するスラットのそれぞれの連結部の構成を示す図である。
【図５】図４のスラット構造体を右側から見た側面図である。
【図６】図４のスラットとスラットの連設部を拡大して示す図である。
【図７】図４のスラットとスラットの連設状態を示す斜視図であり、スラット面が直線状になった状態を示す図である。
【図８】図４のスラットとスラットの連設状態を示す斜視図であり、スラット面が屈曲した状態を示す図である。
【図９】本発明に係るスラット構造体の他の実施例を示す図である。
【符号の説明】
【００１９】
４０〜４２…スラット
４０１，４１１，４２１…第１カール部
４０２，４１２，４２２…第２カール部
４０３，４１３，４２３…切欠き部
４０４，４１４，４２４…切込み部
４０５，４１５，４２５…かしめ部
【図１】
2007162282.tif 000003
【図２】
2007162282.tif 000004
【図３】
2007162282.tif 000005
【図４】
2007162282.tif 000006
【図５】
2007162282.tif 000007
【図６】
2007162282.tif 000008
【図７】
2007162282.tif 000009
【図８】
2007162282.tif 000010
【図９】
2007162282.tif 000011